(57)【要約】【課題】従来よりも強固に鬼瓦を屋根の棟に取り付けるようにする。【解決手段】内部が空洞３１の第１鬼瓦３０を屋根１０の大棟１１の端部に取り付ける方法であって、空洞３１の底板部３２を貫通する孔３３を形成し、ボルト状部４１の下端部に取付部４２を付加した第１金具４０を形成し、孔３３にボルト状部４１を挿通させ、取付部４２を屋根１０に取り付け、ボルト状部４１の空洞３１内に突出した部分をナット５０で第１鬼瓦３０の底板部３２に固定すること。さらに、大棟１１の端部に巴瓦２０を配設し、巴瓦２０を貫通する孔２２を形成し、巴瓦２０の上に第１鬼瓦３０を配置し、第１鬼瓦３０の底板部３２の孔３３および巴瓦２０の孔２２をボルト状部４１が挿通すること。【選択図】        図９
2007186984.tif 000002
【特許請求の範囲】
【請求項１】
内部が空洞の鬼瓦を屋根の棟の端部に取り付ける方法であって、
前記鬼瓦の空洞の底板部を貫通する孔を形成し、
ボルト状部の下端部に取付部を付加した金具を形成し、
前記孔に前記金具のボルト状部を挿通させ、
前記取付部を屋根に取り付け、
前記ボルト状部の前記空洞内に突出した部分をナットで前記鬼瓦の底板部に固定することを特徴とする鬼瓦の取り付け方法。
【請求項２】
請求項１に記載した鬼瓦の取り付け方法であって、
前記屋根の棟の端部に巴瓦を配設し、
前記巴瓦を貫通する孔を形成し、
前記巴瓦の上に前記鬼瓦を配置し、
前記鬼瓦の底板部の孔および前記巴瓦の孔を前記金具のボルト状部が挿通することを特徴とする鬼瓦の取り付け方法。
【請求項３】
請求項１または２記載の鬼瓦の取り付け方法であって、
前記金具の取付部として前記屋根の棟の両側の勾配に沿った傾斜の分岐部を形成し、
前記分岐部を屋根の棟の両側の傾斜面に取り付けることを特徴とする鬼瓦の取り付け方法。
【請求項４】
請求項１記載の鬼瓦の取り付け方法であって、
前記金具の取付部をボルト状部に対し直角となる棒状に形成し、
この棒状の取付部を屋根に取り付けることを特徴とする鬼瓦の取り付け方法。
【請求項５】
請求項１記載の鬼瓦の取り付け方法であって、
内部が空洞の鬼瓦を取り付ける箇所が屋根の降棟の端部であり、
ボルト状部の下端部に取付部を付加した金具を形成し、
前記金具の取付部は支持部分およびこの支持部分から延びるように形成された帯状の板状部分を備え、前記支持部分を前記鬼瓦の空洞の底板部と前記鬼瓦の下方に配置されている桟瓦との間に挟まれるように配置して前記支持部分で前記鬼瓦の空洞の底板部を支え、前記帯状の板状部分の端部を屋根の野地板に固定し、
さらに、前記鬼瓦の空洞内の竜頭を金属線で前記屋根に連結することを特徴とする鬼瓦の取り付け方法。
【請求項６】
請求項１記載の鬼瓦の取り付け方法であって、
内部が空洞の鬼瓦を取り付ける箇所が屋根の降棟の端部であり、
ボルト状部の下端部に取付部を付加した金具を形成し、
前記金具の取付部は支持部分およびこの支持部分から延びるように形成された帯状の板状部分を備え、前記支持部分を前記鬼瓦の空洞の底板部と前記鬼瓦の下方に配置されている桟瓦との間に挟まれるように配置して前記支持部分で前記鬼瓦の空洞の底板部を支え、前記帯状の板状部分の端部を前記桟瓦を支える瓦桟と前記桟瓦との間に挟み、
さらに、前記鬼瓦の空洞内の竜頭を金属線で前記屋根に連結することを特徴とする鬼瓦の取り付け方法。
【請求項７】
請求項１から６までのいずれかに記載した鬼瓦の取り付け方法であって、
前記鬼瓦の底板部の孔として前記鬼瓦の前後方向に延びた長孔を形成することを特徴とする鬼瓦の取り付け方法。
【発明の詳細な説明】
【技術分野】
【０００１】
本発明は、屋根の棟に鬼瓦を取り付ける鬼瓦の取り付け方法に関し、特に、鬼瓦の取り付けを従来よりも強固に行うことができる鬼瓦の取り付け方法に関するものである。
【背景技術】
【０００２】
従来、鬼瓦が屋根の棟に取り付けられている。この取り付け方法は、鬼瓦に設けられた竜頭の孔に通した銅線を屋根に打ち付けられた釘に固定する方法であった（例えば特許文献１参照）。
【特許文献１】実開平５−５９４０号公報
【発明の開示】
【発明が解決しようとする課題】
【０００３】
しかし、上述の従来例では、銅線の経年変化による腐食により、銅線が断線するおそれがあり、さらには、地震の場合に前記銅線にかかる張力が大きくなって、前記銅線が断線し、これにより鬼瓦が屋根から落下するおそれがあるという問題があった。
そこで、本発明が解決しようとする課題は、従来よりも強固に鬼瓦を屋根の棟に取り付け、鬼瓦の取り付けの耐震性を向上させることである。
【課題を解決するための手段】
【０００４】
上記課題を解決するため、請求項１記載の発明は、内部が空洞の鬼瓦を屋根の棟の端部に取り付ける方法であって、前記鬼瓦の空洞の底板部を貫通する孔を形成し、ボルト状部の下端部に取付部を付加した金具を形成し、前記孔に前記金具のボルト状部を挿通させ、前記取付部を屋根に取り付け、前記ボルト状部の前記空洞内に突出した部分をナットで前記鬼瓦の底板部に固定することを特徴とする鬼瓦の取り付け方法である。
請求項１記載の発明により、内部が空洞の鬼瓦を屋根の棟の端部に取り付ける場合に、前記鬼瓦の空洞の底板部を貫通する孔に金具のボルト状部を挿通させ、金具のボルト状部の下端部の取付部を屋根に取り付け、前記ボルト状部の前記空洞内に突出した部分をナットで鬼瓦の底板部に固定するので、前記金具により鬼瓦を屋根に取り付けることができる。
【０００５】
さらに、請求項２記載の発明は、請求項１に記載した鬼瓦の取り付け方法であって、前記屋根の棟の端部に巴瓦を配設し、前記巴瓦を貫通する孔を形成し、前記巴瓦の上に前記鬼瓦を配置し、前記鬼瓦の底板部の孔および前記巴瓦の孔を前記金具のボルト状部が挿通することを特徴とする鬼瓦の取り付け方法である。
請求項２記載の発明により、前記屋根の棟の端部に配設した巴瓦の上に前記鬼瓦を配置し、前記鬼瓦の底板部の孔および前記巴瓦の孔を前記金具のボルト状部が挿通するので、屋根の棟の端部に配設した巴瓦の上に置いた鬼瓦を屋根に取り付けることができる。
【０００６】
さらに、請求項３記載の発明は、請求項１または２記載の鬼瓦の取り付け方法であって、前記金具の取付部として前記屋根の棟の両側の勾配に沿った傾斜の分岐部を形成し、前記分岐部を屋根の棟の両側の傾斜面に取り付けることを特徴とする鬼瓦の取り付け方法である。
請求項３記載の発明により、前記金具の取付部としての分岐部が前記屋根の棟の両側の勾配に沿った傾斜をしているので、この分岐部を屋根の棟の両側の傾斜面に強固に取り付けることができる。
【０００７】
さらに、請求項４記載の発明は、請求項１記載の鬼瓦の取り付け方法であって、前記金具の取付部をボルト状部に対し直角（直交する場合を含む。）となる棒状に形成し、この棒状の取付部を屋根に取り付けることを特徴とする鬼瓦の取り付け方法である。
請求項４記載の発明により、前記金具の取付部をボルト状部に対し直角となる棒状に形成し、この棒状の取付部を屋根に取り付けるので、降り棟の端部に取り付けた鬼瓦を前記金具により屋根に強固に取り付けることができる。
【０００８】
さらに、請求項５記載の発明は、請求項１記載の鬼瓦の取り付け方法であって、内部が空洞の鬼瓦を取り付ける箇所が屋根の降り棟の端部であり、ボルト状部の下端部に取付部を付加した金具を形成し、前記金具の取付部は支持部分およびこの支持部分から延びるように形成された帯状の板状部分を備え、前記支持部分を前記鬼瓦の空洞の底板部と前記鬼瓦の下方に配置されている桟瓦との間に挟まれるように配置して前記支持部分で前記鬼瓦の空洞の底板部を支え、前記帯状の板状部分の端部を屋根の野地板に固定し、さらに、前記鬼瓦の空洞内の竜頭を金属線で前記屋根に連結することを特徴とする鬼瓦の取り付け方法である。
請求項５記載の発明により、ボルト状部の下端部に取付部を付加した金具を形成し、前記金具の取付部の支持部分を前記鬼瓦の空洞の底板部と前記鬼瓦の下方に配置されている桟瓦との間に挟まれるように配置して前記支持部分で前記鬼瓦の空洞の底板部を支え、前記帯状の板状部分の端部を屋根の野地板に固定し、さらに、前記鬼瓦の空洞内の竜頭を金属線で前記屋根に連結するので、鬼瓦を屋根の降り棟の端部に従来よりも強固に取り付けることができる。
【０００９】
さらに、請求項６記載の発明は、請求項１記載の鬼瓦の取り付け方法であって、内部が空洞の鬼瓦を取り付ける箇所が屋根の降り棟の端部であり、ボルト状部の下端部に取付部を付加した金具を形成し、前記金具の取付部は支持部分およびこの支持部分から延びるように形成された帯状の板状部分を備え、前記支持部分を前記鬼瓦の空洞の底板部と前記鬼瓦の下方に配置されている桟瓦との間に挟まれるように配置して前記支持部分で前記鬼瓦の空洞の底板部を支え、前記帯状の板状部分の端部を前記桟瓦を支える瓦桟と前記桟瓦との間に挟み、さらに、前記鬼瓦の空洞内の竜頭を金属線で前記屋根に連結することを特徴とする鬼瓦の取り付け方法である。
請求項６記載の発明により、ボルト状部の下端部に取付部を付加した金具を形成し、前記金具の取付部の支持部分を前記鬼瓦の空洞の底板部と前記鬼瓦の下方に配置されている桟瓦との間に挟まれるように配置して前記支持部分で前記鬼瓦の空洞の底板部を支え、さらに、前記金具の取付部の支持部分から延びるように形成された帯状の板状部分を前記桟瓦の上面に沿って配置し、前記帯状の板状部分の端部を前記桟瓦を支える瓦桟と前記桟瓦との間に挟み、さらに、前記鬼瓦の空洞内の竜頭を金属線で前記屋根に連結するので、鬼瓦を屋根の降り棟の端部に従来よりも強固に取り付けることができる。
【００１０】
さらに、請求項７記載の発明は、請求項１から６までのいずれかに記載した鬼瓦の取り付け方法であって、前記鬼瓦の底板部の孔として前記鬼瓦の前後方向に延びた長孔を形成することを特徴とする鬼瓦の取り付け方法である。
請求項７記載の発明により、前記鬼瓦の底板部の孔としての前記鬼瓦の前後方向に延びた長孔に挿通する金具のボルト状部の位置を調節することにより、鬼瓦を棟に取り付ける位置を鬼瓦の前後方向にて調節することができる。
【発明の効果】
【００１１】
請求項１記載の発明によれば、鬼瓦を屋根の棟に従来よりも強固に取り付けることができ、鬼瓦の取り付けの耐震性が向上する。
さらに、請求項２記載の発明によれば、請求項１記載の発明の効果とともに、屋根の棟に配設した巴瓦の上に鬼瓦を取り付けることができる。
さらに、請求項３記載の発明によれば、請求項１または２記載の発明の効果とともに、鬼瓦を取り付ける金具を屋根の棟の両側の傾斜面に強固に取り付けることができる。
さらに、請求項４記載の発明によれば、請求項１記載の発明の効果とともに、鬼瓦を降り棟の端部に従来よりも強固に取り付けることができる。
さらに、請求項５記載の発明によれば、請求項１記載の発明の効果とともに、鬼瓦を屋根の降り棟の端部に従来よりも一層強固に取り付けることができる。
さらに、請求項６記載の発明によっても、請求項１記載の発明の効果とともに、鬼瓦を屋根の降り棟の端部に従来よりも一層強固に取り付けることができる。
さらに、請求項７記載の発明によれば、請求項１から６までのいずれかに記載の発明の効果とともに、鬼瓦の前後方向の取り付け位置を調節することができる。
【発明を実施するための最良の形態】
【００１２】
以下、本発明における実施の形態を図面に基づいて説明する。
図１は本発明の第１の実施の形態に係る鬼瓦および巴瓦を示し、図２は図１の正面を示し、図３は図１の右側面を示し、図４は図１の背面を示し、図５は図１の下面を示す。また、図６は図１の鬼瓦を取り付ける金具を示し、（ａ）は正面を示し、（ｂ）は平面を示す。さらに、図７は図３の鬼瓦および巴瓦のＢ−Ｂ断面に前記金具を組み合わせた状態を示し、図８は図２の鬼瓦のＡ−Ａ断面を示し、図９は図１の鬼瓦を屋根に取り付けた状態を示す。さらに、図１０は第２の実施の形態に係る鬼瓦を降り棟の端部に取り付けた状態を示し、図１１は図１０にて使用する金具を示し、（ａ）は金具の正面を示し、（ｂ）は金具の平面を示し、（ｃ）は金具の右側面を示す。さらに、図１２は第３の実施の形態に係る鬼瓦を降り棟の端部に取り付けた状態を示し、図１３は図１２のＣ視図を示す。
【００１３】
図１に示す第１鬼瓦３０を図９の屋根１０の大棟１１の端部に取り付ける方法は、以下のとおりである。
なお、図８に示すように、第１鬼瓦３０の内部の空洞３１には従来例と同様に竜頭３４が形成され、竜頭３４には孔３４ａが形成されている。また第１鬼瓦３０の前面３５（図２参照）には図示しない模様が形成され、図４に示すように第１鬼瓦３０の裏面３６には開口部３７が形成されている。この開口部３７の内部は空洞３１である。さらに、図７に示すように、空洞３１の２箇所の最下部にはそれぞれ水抜孔３８が形成されている。
また、図９に示すように、屋根１０の大棟１１の両側の第１および第２傾斜面１２、１３では、野地板１４（なお、図１０に示すように、野地板１４の上面には防水シート１４ａが布設されている。）の上に所定の瓦桟１５が取り付けられ、瓦桟１５に桟瓦１６が掛けられて固定されている。
【００１４】
まず、図８に示すように、第１鬼瓦３０の空洞３１の底板部３２を貫通する孔３３を形成する。なお、図５に示すように、孔３３は第１鬼瓦３０の前後方向に延びた長孔である。
つぎに、図６に示すように、ボルト状部４１の下端部に取付部４２を付加した第１金具４０を形成する。ここで、取付部４２として屋根１０の大棟１１の第１傾斜面１２および第２傾斜面１３（図９参照）の勾配に沿った傾斜の第１分岐部４３および第２分岐部４４を形成する。第１分岐部４３には取付孔４５が形成され、第２分岐部４４には取付孔４６が形成されている。
【００１５】
つぎに、図９に示すように、取付部４２の第１分岐部４３をその取付孔４５を釘４７で第１傾斜面１２の野地板１４に打ち付けることにより固定し、取付部４２の第２分岐部４４をその取付孔４６を釘４７で第２傾斜面１３の野地板１４に打ち付けることにより固定する。このようにして、取付部４２を屋根１０の第１および第２傾斜面１２、１３に取り付けることができる。
【００１６】
さらに、屋根１０の大棟１１の端部に巴瓦２０を配設する（図１参照）。なお、巴瓦２０の上面２１を貫通する孔２２（図５参照）が形成されている。また、図２に示すように巴瓦２０の頭２３は円形であり、図３に示すように巴瓦２０の後端には玉口２４が形成されている。
そして、巴瓦２０の上面２１上に第１鬼瓦３０を配置する（図１参照）。つぎに、第１鬼瓦３０の底板部３２の孔３３および巴瓦２０の孔２２を第１金具４０のボルト状部４１が挿通するようにする。
つぎに、ボルト状部４１の空洞３１内に突出した部分をナット５０（ボルト状部４１の雄ネジに螺合している。）で第１鬼瓦３０の底板部３２に固定する。なお、ワッシャ５１を底板部３２とナット５０の間に配置してナット５０の緩みを防いでいる。
【００１７】
さらに、図１０に示すように、内部が空洞６１の降り棟用の第２鬼瓦６０を屋根１０の降り棟１７の端部に取り付ける。なお、降り棟１７は、屋根１０に設置された桟瓦１６の上に形成され、降り棟１７の両方の側面には複数毎ののし瓦１７ａが重ねて配設され、両側面ののし瓦１７ａの上に冠瓦１７ｂが配設され、各のし瓦１７ａおよび冠瓦１７ｂはモルタル１７ｃで固定されている。
ボルト状部７１の下端部に取付部７２を付加した第２金具７０を形成する。ここで、第２金具７０の取付部７２は支持部分７３およびこの支持部分７３から延びるように形成された帯状の板状部分７４を備えている。なお、図１１に示すように、帯状の金属板を加工して取付部７２を一体に形成することができる。すなわち、帯状の金属板を折り曲げて支持部分７３を形成し、支持部分７３から帯状の金属板を延ばして帯状の板状部分７４を形成することができる。なお、帯状の金属板の端７３ａを折り曲げて帯状の金属板の重合箇所７３ｂを押さえるようにして支持部分７３を形成し、重合箇所７３ｂに帯状の板状部分７４を連設することができる。そして、ボルト状部７１の下部を支持部分７３が囲うようにすることができる。また、ボルト状部７１の下部と支持部分７３とを溶接してもよい。
そして、第２鬼瓦６０の底板部６２は平板状であり、底板部６２の孔６３を第２金具７０のボルト状部７１が挿通している。なお、孔６３は第１鬼瓦３０の底板部３２の孔３３（図５参照）と同様に形成されている。
なお、ボルト状部７１の空洞６１内に突出した部分をナット８０（ボルト状部７１の雄ネジに螺合している。）で第２鬼瓦６０の底板部６２に固定する。なお、ワッシャ８１を底板部６２とナット８０の間に配置してナット８０の緩みを防いでいる。
【００１８】
支持部分７３を第２鬼瓦６０の空洞６１の底板部６２と降り棟用の第２鬼瓦６０の下方に配置されている桟瓦１６との間に挟まれるように配置して、支持部分７３で降り棟用の第２鬼瓦６０の空洞６１の底板部６２を支える。そして、帯状の板状部分７４を桟瓦１６の上面１６ａに沿って配置し、帯状の板状部分７４の端部の孔７５を釘７６で屋根１０の野地板１４に固定する。
さらに、第２鬼瓦６０の空洞６１内の竜頭６４を金属線８２（銅線、ステンレス線等）で裏面６６の開口部６７から第２鬼瓦６０より大棟１１（図１参照）側に位置する野地板１4に連結して、金属線８２で竜頭６４を第２鬼瓦６０の後方に引っ張るようにする。具体的には、竜頭６４の孔６４ａを金属線８２の一端に連結し、第２鬼瓦６０より大棟１１側に位置する野地板１４に打ち付けた釘８３を金属線８２の他端に連結する。
【００１９】
さらに、図１２に示すように第３金具７０ｘはボルト状部７１ｘおよび取付部７２ｘからなり、取付部７２ｘは支持部分７３ｘと帯状の板状部分７４ｘからなる。ボルト状部７１ｘ、支持部分７３ｘはそれぞれ図１０のボルト状部７１、支持部分７３と同じである。そして、帯状の板状部分７４ｘ（帯状の板状部分７４に対応している。）の端部を桟瓦１６を支える瓦桟１５と桟瓦１６との間に挟むように固定する。その他は図１０と同じである。この場合、図１３に示すように、桟瓦１６の下面１６ｂの後部に付設された２つの突起１６ｃの間に帯状の板状部分７４ｘの端部が配置されることになる。なお、図１２に示すように、２つの突起１６ｃは瓦桟１５に掛けられて、桟瓦１６の位置がずれないようにしている。
【００２０】
上記構成の第１鬼瓦３０の取り付け方法は、以下の作用効果を奏する。
第１鬼瓦３０を屋根１０の大棟１１の端部に取り付ける場合に、第１鬼瓦３０の空洞３１の底板部３２を貫通する孔３３に第１金具４０のボルト状部４１を挿通させ、ボルト状部４１の下端部の取付部４２を屋根１０に取り付ける。そして、ボルト状部４１の空洞３１内に突出した部分をナット５０で第１鬼瓦３０の底板部３２に固定するので、第１金具４０により第１鬼瓦３０を屋根１０に取り付けることができる。
【００２１】
さらに、屋根１０の大棟１１の端部に配設した巴瓦２０の上に第１鬼瓦３０を配置し、第１鬼瓦３０の底板部３２の孔３３および巴瓦２０の孔２２を第１金具４０のボルト状部４１が挿通するので、屋根１０の大棟１１の端部に配設した巴瓦２０の上に置いた第１鬼瓦３０を屋根１０に取り付けることができる。
さらに、第１金具４０の取付部４２としての第１分岐部４３および第２分岐部４４が屋根１０の大棟１１の両側の勾配に沿った傾斜をしているので、第１および第２分岐部４３、４４を屋根１０の大棟１１の両側の第１傾斜面１２および第２傾斜面１３に強固に取り付けることができる。
【００２２】
さらに、第２金具７０の取付部７２の支持部分７３を第２鬼瓦６０の空洞６１の底板部６２と第２鬼瓦６０の下方に配置されている桟瓦１６との間に挟まれるように配置して、支持部分７３で第２鬼瓦６０の空洞６１の底板部６２を支え、第２金具７０の取付部７２の支持部分７３から延びるように形成された帯状の板状部分７４を桟瓦１６の上面１６ａに沿って配置し、帯状の板状部分７４の端部を屋根１０の野地板１４に固定し、第２鬼瓦６０の空洞６１内の竜頭６４を金属線８２で屋根１０に連結するので、第２鬼瓦６０を屋根１０の降り棟１７の端部に従来よりも強固に取り付けることができる。具体的には、竜頭６４の孔６４ａに金属線８２の一端を結び、第２鬼瓦６０の裏面６６の開口部６７から金属線８２を第２鬼瓦６０の裏面６６側に引き出して、金属線８２の他端を釘８３により屋根１０の野地板１４に固定する。このようにすると、第２鬼瓦６０の前面６５は屋根１０の軒の方を向いている。
【００２３】
さらに、第２金具７０の帯状の板状部分７４の端部を屋根１０の野地板１４に固定する代わりに、第３金具７０ｘの帯状の板状部分７４ｘの端部を桟瓦１６を支える瓦桟１５と
桟瓦１６との間に挟むように固定しても、第２鬼瓦６０を屋根１０の降り棟１７の端部に従来よりも強固に取り付けることができる。
【００２４】
さらに、第１鬼瓦３０の底板部３２の孔３３が第１鬼瓦３０の前後方向に延びた長孔であるので、孔３３に挿通する第１金具４０のボルト状部４１の位置を調節することにより、第１鬼瓦３０を大棟１１に取り付ける位置を第１鬼瓦３０の前後方向にて調節することができる。第２鬼瓦６０を降り棟１７に取り付ける場合も同様である。
【００２５】
なお、上記の実施の形態において、第１金具４０の取付部（取付部４２に相当する。）をボルト状部４１の下端部に対し直角となる棒状に形成し、ボルト状部４１とこの棒状の取付部とでＴ字状にし、この棒状の取付部を屋根１０の野地板１４に取り付けることもできる。その際、棒状の取付部には、取付孔を形成し、この取付孔から釘で野地板１４に固定することができる。このようにすると、屋根１０の降り棟１７の端部に第２鬼瓦６０を強固に取り付けることができる。
【図面の簡単な説明】
【００２６】
【図１】本発明の第１の実施の形態に係る鬼瓦および巴瓦を示す斜視図である。
【図２】図１の正面図である。
【図３】図１の右側面図である。
【図４】図１の背面図である。
【図５】図１の下面図である。
【図６】図１の鬼瓦を取り付ける金具を示し、（ａ）は正面図であり、（ｂ）は平面図である。
【図７】図３の鬼瓦および巴瓦のＢ−Ｂ断面に前記金具を組み合わせた状態を示す断面図である。
【図８】図２の鬼瓦のＡ−Ａ断面図である。
【図９】図１の鬼瓦を屋根に取り付けた状態を示す説明図である。
【図１０】第２の実施の形態に係る鬼瓦を降り棟の端部に取り付けた状態を示す断面図である。
【図１１】図１０にて使用する金具を示し、（ａ）は金具の正面図であり、（ｂ）は金具の平面図であり、（ｃ）は金具の右側面図である。
【図１２】第３の実施の形態に係る鬼瓦を降り棟の端部に取り付けた状態を示す断面図である。
【図１３】図１２のＣ視図である。
【符号の説明】
【００２７】
１０  屋根
１１  大棟
１２  第１傾斜面
１３  第２傾斜面
１７  降り棟
２０  巴瓦
２２  孔
３０  第１鬼瓦
３１  空洞
３２  底板部
３３  孔
４０  第１金具
４１  ボルト状部
４２  取付部
４３  第１分岐部
４４  第２分岐部
５０  ナット
６０  第２鬼瓦
６１  空洞
６２  底板部
６４  竜頭
７０  第２金具
７１  ボルト状部
７２  取付部
７３  支持部分
７４  板状部分
７０ｘ  第３金具
７１ｘ  ボルト状部
７２ｘ  取付部
７３ｘ  支持部分
７４ｘ  板状部分
【図１】
2007186984.tif 000003
【図２】
2007186984.tif 000004
【図３】
2007186984.tif 000005
【図４】
2007186984.tif 000006
【図５】
2007186984.tif 000007
【図６】
2007186984.tif 000008
【図７】
2007186984.tif 000009
【図８】
2007186984.tif 000010
【図９】
2007186984.tif 000011
【図１０】
2007186984.tif 000012
【図１１】
2007186984.tif 000013
【図１２】
2007186984.tif 000014
【図１３】
2007186984.tif 000015